(57)【要約】【課題】地中埋設物の探査は、土木工事の事前作業として極めて重要であり、地中埋設物の存在が予想される場所に探査孔を掘削し、地中埋設物を目視確認し、その深さ、位置、形状を測定することが行われている。この際、地中埋設物を傷付けぬことが必要であり、水力掘削の手法によって探査孔を形成するのが最も安全であるが、従来の水力掘削においては掘削、ケーシングパイプの建て込み、泥水・土砂の吸引排除、を同時に行うことが出来ず、作業に時間がかかっていた。【構成】円筒状をなし、先端側に加圧水噴射ノズル３を有する掘削具本体１を架台５に縦置き状態で装架すると共に、掘削具本体１内にサクションパイプ６を位置せしめ、前記掘削具本体１を回転させながら加圧水噴射ノズル３から加圧水１７を掘削すべき地中に向って噴射し、地中を水力掘削すると共に、形成された掘削孔９に掘削具本体１を順次挿入し、同時にサクションパイプ６によって掘削具本体１内の泥水・土砂１８を吸引排除する様にした。【選択図】  図５
2004316237.tif 000002
【特許請求の範囲】
【請求項１】
円筒状をなし、先端側に加圧水噴射ノズル３を有する掘削具本体１を架台５に縦置き状態で装架すると共に、掘削具本体１内にサクションパイプ６を位置せしめ、前記掘削具本体１を回転させながら加圧水噴射ノズル３から加圧水１７を掘削すべき地中に向って噴射し、地中を水力掘削できる様にすると共に、形成された掘削孔９に掘削具本体１を順次挿入し、同時にサクションパイプ６によって掘削具本体１内の泥水・土砂１８を吸引排除する様にしたことを特徴とする地中埋設物探査掘削装置。
【請求項２】
サクションパイプ６の吸い口１０がラッパ状に拡径していることを特徴とする請求項１記載の地中埋設物探査孔掘削装置。
【請求項３】
加圧水噴射ノズル３が掘削具本体１に一体的に形成されていることを特徴とする請求項１記載の地中埋設物探査孔掘削装置。
【請求項４】
加圧水噴射ノズル３が掘削具本体１の周壁端面２の内側に取付けられていることを特徴とする請求項１記載の地中埋設物探査孔掘削装置。
【発明の詳細な説明】
【０００１】
【産業上の利用分野】
この発明は地中埋設物探査孔掘削装置、詳しくは、地中埋設物を損傷させることなく地中にスピーディに探査孔を形成することが出来る地中埋設物探査孔掘削装置に関するものである。
【０００２】
【従来の技術】
各種土木工事の際には、ガス管、水道管、各種ケーブルなど様々な地中埋設物の位置、深さ、形状等を事前に正確に知る必要があり、従来においては地中埋設物の存在が予想される地域一帯を開削したり、探査孔をあけるなどして地中埋設物の確認作業を行っていた。地域一帯の開削に比べ、探査孔の形成は比較的低コスト及び短時間で実施でき、しかも地中埋設物を傷付けるおそれがほとんどない為、最近では多く利用されている。この探査孔の掘削は概ね下記の通りの手順によって行われている。
【０００３】
即ち、電磁波探信装置などによって地中埋設物の概略の位置を把握した後、加圧水のジェッチング（ｊｅｔｔｉｎｇ）による水力掘削と泥水・土砂の吸引を繰り返して地中に地表面から適当な径の縦孔を形成し、山留めの為、この縦孔にケーシングパイプを建て込み、地中埋設物の位置までケーシングパイプの下端が達したら、ケーシングパイプ内の土砂・泥水を完全に吸引排除し、このケーシングパイプを通じて地表面の上から地中埋設物の目視確認及びその位置・深度・形状などの測定を行った。
【０００４】
【発明が解決しようとする課題】
従来の地中埋設物探査孔の掘削においては、ジェッチングによる水力掘削と、山留の為のケーシングパイプの建て込み、泥水・土砂の吸引排除、は同時に実施できず、これら各作業のうちどれか一つを実施しているときは、他の作業は休止しなければならず、作業能率向上の妨げとなっていた。又、この際のジェッチングによる水力掘削は、作業員が加圧水ノズルを直接手で保持して行う場合が多く甚だ能率が悪かった。しかしながら、ジェッチングによる水力掘削は地中埋設物を損傷するおそれがほとんどない為、現状においては最良の掘削方法であり、上述の通り作業能率の面から問題があるとしても、採用せざるを得なかった。
【０００５】
本発明者は、地中埋設物を損傷するおそれがほとんどないという水力掘削の長所を生かしつつ、短時間で能率的に探査孔を掘削できる手段を研究した結果、新らしい地中埋設物探査孔掘削装置を開発することに成功し、本発明としてここに提案するものである。
【０００６】
【課題を解決するための手段】
円筒状をなし、先端側に加圧水噴射ノズル３を有する掘削具本体１を架台５に縦置き状態で装架すると共に、掘削具本体１内にサクションパイプ６を位置せしめ、前記掘削具本体１を回転させながら加圧水噴射ノズル３から加圧水１７を掘削すべき地中に向って噴射し、地中を水力掘削できる様にすると共に、形成された掘削孔９に掘削具本体１を順次挿入し、同時にサクションパイプ６によって掘削具本体１内の泥水・土砂を吸引排除できる様にすることにより、上記課題を解決した。
【０００７】
【実施の形態】
以下、図面に示すこの発明に係る地中埋設物探査孔掘削装置の一実施形態について説明する。図１はその全体の側面図、図２はその要部である掘削具本体１部分の拡大斜視図を示し、図中１は掘削具本体であり、円筒状をなした堅牢な金属製であり、長手方向先端側の周壁端面２には加圧水噴射ノズル３が複数個間隔をあけて取付けられている。なお、この実施の形態においては加圧水噴射ノズル３は４個設けられているが、その個数は４個に限らないことはもちろんである。そして、この周壁の肉厚内には加圧水供給路４が形成されており、加圧水供給管１６を介して外部の図示せざる供給源から加圧水１７が供給される様になっている。上記実施の形態においては加圧水噴射ノズル３は掘削具本体１の周壁端面２に一体的に設けられているが、図３に示すものの様に掘削具本体１の周壁端面２の内側にこれとは別体に加圧水噴射ノズル３を付設しても良い。一方、図中５はこの掘削具本体１を装架する架台であり、掘削具本体１を縦置き状態で支持し、駆動機構１４によってこれに回転運動を付与すると共に上下スライド機構１５によって軸芯方向つまり上下方向にこれをスライドさせられる様になっている。更にこの掘削具本体１の内径内には、下端の吸い口１０がラッパ状に拡径したサクションパイプ６が挿入されており、このサクションパイプ６は必要に応じて作業員が手で引き上げられる様になっている。
【０００８】
この実施の形態は上記の通りの構成を有するものであり、図１に示す様に、地中埋設物探査孔を掘削しようとする箇所の地表面７の上に架台５を安定した状態で載置固定し、駆動機構１４によって掘削具本体１を回転させつつ加圧水噴射ノズル３から地表面７に向って加圧水１７を勢い良く噴射すると、図４に示す様に、この加圧水１７の噴射によって地表面７は水力掘削されて凹み８が形成される。更に、この凹み８に図５に示す様に、掘削具本体１の下端を挿入し、この掘削具本体１で山留めを行い、回転させつつ加圧水噴射ノズル３からの加圧水１７の噴射をして水力掘削を継続し、円筒状をした探査孔９を形成して行く。この際、加圧水１７の噴射によって生じた泥水・土砂１８は掘削具本体１内に挿入されているサクションパイプ６によって常時吸引排出し続けるが、サクションパイプ６内を通って排出出来ない程の大きさの礫１３が出現した場合、図６に示す様に、サクションパイプ６のラッパ状の吸い口１０でこの礫１３をバキューム吸着し、そのままサクションパイプ６を引き上げ、掘削具本体１の上端開口部から取り出せば、容易にこの礫１３を排除できる。
【０００９】
この様にして、地中埋設物１１の位置まで探査孔９を掘り進んだら、掘削具本体１内に残留している泥水・土砂１８をサクションパイプ６により十分に排除した後、サクションパイプ６を掘削具本体１から引き上げて撤去すれば、図７に示す様に、探査孔９の底に地中埋設物１１が目視できる状態になる。このとき、掘削具本体１は、探査孔９に建て込まれ、ケーシングパイプの機能を果たしており、これによって探査孔９の地山は山留され、安定した状態に保たれる。この状態において、掘削具本体１の上端開口部から地中埋設物１１を目視確認し、その深さ、位置、形状などを測定する。これらの作業を終った後は、掘削具本体１を引き抜き、探査孔９を埋め戻せば、一連の作業はすべて完了する。
【００１０】
【発明の効果】
この発明に係る地中埋設物探査孔掘削装置は上記の通りの構成を有するものであり、探査孔９の水力掘削と、山留め用のケーシングパイプの建て込みと、泥水・土砂の吸引排除、の３つの作業を同時に進行させることができ、従来の掘削作業に比べ、はるかに短い時間かつ最小のスペースで探査孔９を形成することが出来る効果を有し、極めて高い実用的な価値を有する。又、水力掘削により探査孔を形成するものであるので、地中埋設物を傷付けるおそれはほとんどなく、手軽に地中埋設物の確認作業を実施することが出来、特に地中埋設物が輻輳している市街地の土木作業に適している。
【図面の簡単な説明】
【図１】この発明に係る地中埋設物探査孔掘削装置の一実施形態の全体の側面図。
【図２】その要部である掘削具本体部分の拡大斜視図。
【図３】同じく、掘削具本体１の他の実施形態の拡大斜視図。
【図４】掘削具本体１により地中の掘削を開始した状況の拡大断面図。
【図５】掘削具本体１による地中の掘削途中の状況の拡大断面図。
【図６】掘削途中に出現した吸引不可能な大きさの礫１３を排除する状況を説明した拡大断面図。
【図７】探査孔９の掘削が終了し、地中埋設物１１の調査を行うときの状況の拡大断面図。
【符号の説明】
１    掘削具本体
２    周壁端面
３    加圧水噴射ノズル
４    加圧水供給路
５    架台
６    サクションパイプ
７    地表面
８    凹み
９    探査孔
１０    吸い口
１１    地中埋設物
１２    駆動機構
１３    礫
１４    駆動機構
１５    上下スライド機構
１６    加圧水供給管
１７    加圧水
１８    泥水・土砂
【図１】
2004316237.tif 000003
【図２】
2004316237.tif 000004
【図３】
2004316237.tif 000005
【図４】
2004316237.tif 000006
【図５】
2004316237.tif 000007
【図６】
2004316237.tif 000008
【図７】
2004316237.tif 000009